(57)【要約】      （修正有）【課題】法面や山林などの複雑な地形の場所や狭小な場所等、重機が入り込めないところであっても、少人数で大規模な除染作業を可能とする除染方法を提供する。【解決手段】除染対象場所４から離隔してコンプレッサー６を設置するとともに、除染対象場所４から離隔して放射性物質を蓄積するための収集袋５を設置し、エジェクター３の圧縮空気導入口とコンプレッサー６とを流通可能に接続するとともに、吐出口と収集袋５とを流通可能に接続し、除染対象場所４に対しエジェクター３の吸入口を臨ませて配置し、コンプレッサー６から圧縮空気導入口へ圧縮空気を供給し、圧縮空気の供給によって放射性物質を吸入口から吸引し、吸引した放射性物質を、エジェクター３の吐出口を通じて収集袋５へ送出して蓄積する。【選択図】図１
2017223577.tif 000002
【特許請求の範囲】
【請求項１】
一端を吸入口、他端を吐出口とする貫通路を有する略円筒形状のエジェクター本体と、前記エジェクター本体の側面部において、前記貫通路に連通する少なくとも１つの圧縮空気導入口とを備えたエジェクターを用いて、放射性物質で汚染された除染対象場所を除染する方法であって、
前記除染対象場所から離隔して圧縮空気供給源を設置するとともに、前記除染対象場所から離隔して放射性物質を蓄積するための蓄積手段を設置する工程と、
前記エジェクターの圧縮空気導入口と前記圧縮空気供給源とを流通可能に接続するとともに、前記吐出口と前記蓄積手段とを流通可能に接続する工程と、
前記除染対象場所に対し、前記エジェクターの前記吸入口を臨ませて配置し、前記圧縮空気供給源から前記圧縮空気導入口へ圧縮空気を供給する工程と、
前記圧縮空気の供給によって前記放射性物質を前記吸入口から吸引し、吸引した放射性物質を、前記エジェクターの前記吐出口を通じて前記蓄積手段へ送出して前記蓄積手段に蓄積する工程と
を含むことを特徴とする除染方法。
【請求項２】
計測手段が、前記エジェクターの貫通路を通過する吸引された放射性物質の放射線量を計測する工程と、
調整手段が、前記計測手段による計測結果に応じて前記圧縮空気供給源から供給される圧縮空気の量を調整する工程と
をさらに備えることを特徴とする請求項１に記載の除染方法。
【請求項３】
前記吸入口には受口部が着脱自在に取付けられ、
前記受口部は、前記吸入口に接続され、前記吐出口側の径よりも小径の取付部と、前記取付部の小径よりも拡開された開口部と、前記開口部の下側において前方に突出されるブレード部とを有し、
前記放射性物質を吸引する工程では、前記放射性物質の量、重さ又は状態に応じて、前記受口部を交換することによって、前記小径及び前記開口部の寸法を変更し、前記除染対象場所において、前記ブレード部により前記放射性物質をすくうようにして前記開口部から吸引する
ことを特徴とする請求項１又は２に記載の除染方法。
【請求項４】
放射性物質で汚染された除染対象場所を除染する除染システムであって、
一端を吸入口、他端を吐出口とする貫通路を有する略円筒形状のエジェクター本体と、前記エジェクター本体の側面部において前記貫通路に連通する少なくとも１つの圧縮空気導入口とを備えたエジェクターと、
前記除染対象場所から離隔して設置された圧縮空気供給源と、
前記除染対象場所から離隔して放射性物質を蓄積するための蓄積手段と、
前記エジェクターの圧縮空気導入口と前記圧縮空気供給源とを流通可能に接続し、前記圧縮空気供給源から前記圧縮空気導入口へ圧縮空気を供給する圧縮空気供給ホースと、
前記吐出口と前記蓄積手段とを流通可能に接続し、前記圧縮空気の供給によって前記放射性物質を前記吸入口から吸引し、吸引した放射性物質を、前記エジェクターの前記吐出口を通じて前記蓄積手段へ送出して前記蓄積手段に蓄積させる排出用ホースと
を備えることを特徴とする除染システム。
【請求項５】
前記エジェクターの貫通路を通過する吸引された放射性物質の放射線量を計測する計測手段と、
前記計測手段による計測結果に応じて前記圧縮空気供給源から供給される圧縮空気の量を調整する調整手段と
をさらに備えることを特徴とする請求項１に記載の除染システム。
【請求項６】
前記吸入口には受口部が着脱自在に取付けられ、
前記受口部は、
前記吸入口に接続され、前記吐出口側の径よりも小径の取付部と、
前記取付部の小径よりも拡開された開口部と、
前記開口部の下側において前方に突出されるブレード部と
を有することを特徴とする請求項４又は５に記載の除染システム。
【発明の詳細な説明】
【技術分野】
【０００１】
本発明は、放射能で汚染された法面や山林など複雑な地形や狭小な場所など大型の機械の進入が困難な地域の放射性物質を除去する除染方法及び除染システムに関するものである。
【背景技術】
【０００２】
原子力発電所の事故により、発電所で多量の放射能物質を含む汚染水が発生するとともに、広範囲にわたって放射能が拡散する問題が発生した。原子力発電所や使用済み核燃料の再処理施設で事故が発生すると、セシウム等の放射性物質が大気中に放出されて近隣の田畑が汚染される。土壌に降り注いだ放射性物質は、モニタリングの結果、表面から２〜３ｃｍの部位に９０％以上付着することがわかっている。また、表面から５ｃｍ以内に１００％付着していると考えられている。
【０００３】
従来の除染方法としては、表土を重機で５ｃｍ程度剥ぎ取り、外部から持ち込んだ土壌と入れ替える方法がある。ところが、作業中に剥ぎ取った土壌が重機から落下したりする等、汚染土壌の除去が不確実となりやすい問題があり、このような方法で除染された田畑で再び作物を作ることには抵抗を感じるものであった。
【０００４】
一方、表土を入れ替えることなく除染できる技術が特許文献１，２及び非特許文献１で開示されている。これらの技術は、田畑に水張りして表土と水を攪拌し、その泥水をタンクに汲み上げて凝集剤を加え、放射性物質が付着している土粒を沈殿させて水分を除去する、という方法である。
【０００５】
ところで、前記特許文献１，２及び非特許文献１記載の技術では、回収した土粒が厚さ３〜４ｃｍ分の表土に相当する量となり、その後の運搬、後処理、保管場所の確保等にコストがかかる問題があった。
【０００６】
このような問題に対し、従来では、水中の放射性物質を捕捉できる捕捉材入り網袋で水田を囲い、水中にマイクロバブルを噴出するとともに表土を所定深さに耕耘して土粒に付着している放射性物質を剥離させ、その放射性物質を水とともに捕捉材入り網袋に通過させて、水中の放射性物質を捕捉材で捕捉するという方法が提案されている（例えば、特許文献３）。この特許文献３の方法によれば、除染時の土壌の流出がほとんどなく、放射性廃棄物の運搬や後処理、保管場所の確保等を比較的低コストで実施できる。
【先行技術文献】
【特許文献】
【０００７】
【特許文献１】特開２０１３−５０４０７号公報
【特許文献２】特開２０１３−１１７４４９号公報
【特許文献３】特開２０１５−０４９１０７号公報
【発明の概要】
【発明が解決しようとする課題】
【０００８】
しかしながら、平坦な道路や広場、畑や水田などは比較的除染が容易であるが、法面や山林、狭小な場所等は重機が入り込めないことから、大規模な除染を行うには大人数の人員が必要となるという問題があり、人手による作業では放射性物質に触れてしまう危険性があり安全性に問題がある。
【０００９】
そこで、本発明は上記問題を解決するためになされたものであり、法面や山林などの複雑な地形の場所や狭小な場所等、重機が入り込めないところであっても、少人数で大規模な除染作業が可能な除染方法及び除染システムを提供する。
【課題を解決するための手段】
【００１０】
本発明は上記の課題を解決するために、一端を吸入口、他端を吐出口とする貫通路を有する略円筒形状のエジェクター本体と、前記エジェクター本体の側面部において、前記貫通路に連通する少なくとも１つの圧縮空気導入口とを備えたエジェクターを用いて、放射性物質で汚染された除染対象場所を除染する方法であって、
前記除染対象場所から離隔して圧縮空気供給源を設置するとともに、前記除染対象場所から離隔して放射性物質を蓄積するための蓄積手段を設置する工程と、
前記エジェクターの圧縮空気導入口と前記圧縮空気供給源とを流通可能に接続するとともに、前記吐出口と前記蓄積手段とを流通可能に接続する工程と、
前記除染対象場所に対し、前記エジェクターの前記吸入口を臨ませて配置し、前記圧縮空気供給源から前記圧縮空気導入口へ圧縮空気を供給する工程と、
前記圧縮空気の供給によって前記放射性物質を前記吸入口から吸引し、吸引した放射性物質を、前記エジェクターの前記吐出口を通じて前記蓄積手段へ送出して前記蓄積手段に蓄積する工程と
を含むことを特徴とする。
【００１１】
他の発明は、放射性物質で汚染された除染対象場所を除染する除染システムであって、
一端を吸入口、他端を吐出口とする貫通路を有する略円筒形状のエジェクター本体と、前記エジェクター本体の側面部において前記貫通路に連通する少なくとも１つの圧縮空気導入口とを備えたエジェクターと、
前記除染対象場所から離隔して設置された圧縮空気供給源と、
前記除染対象場所から離隔して放射性物質を蓄積するための蓄積手段と、
前記エジェクターの圧縮空気導入口と前記圧縮空気供給源とを流通可能に接続し、前記圧縮空気供給源から前記圧縮空気導入口へ圧縮空気を供給する圧縮空気供給ホースと、
前記吐出口と前記蓄積手段とを流通可能に接続し、前記圧縮空気の供給によって前記放射性物質を前記吸入口から吸引し、吸引した放射性物質を、前記エジェクターの前記吐出口を通じて前記蓄積手段へ送出して前記蓄積手段に蓄積させる排出用ホースと
を備えることを特徴とする。
【００１２】
また、上記発明においては、計測手段によって前記エジェクターの貫通路を通過する吸引された放射性物質の放射線量を計測し、調整手段によって前記計測手段による計測結果に応じて前記圧縮空気供給源から供給される圧縮空気の量を調整するようにしてもよい。
【００１３】
さらに、上記発明において、前記吸入口には受口部を着脱自在に取付けるようにしてもよい。この受口部は、前記吸入口に接続され、前記吐出口側の径よりも小径の取付部と、前記取付部の小径よりも拡開された開口部と、前記開口部の下側において前方に突出されるブレード部とを設ける。そして、前記放射性物質を吸引する際には、前記放射性物質の量、重さ又は状態に応じて、前記受口部を交換することによって、前記小径及び前記開口部の寸法を変更し、前記除染対象場所において、前記ブレード部により前記放射性物質をすくうようにして前記開口部から吸引する。
【発明の効果】
【００１４】
これらの発明によれば、法面や山林などの複雑な地形の場所や狭小な場所等、重機が入り込めないところであっても、少人数で大規模な除染作業が可能となる。詳述すると、本発明によれば、除染対象場所に吸入口を臨ませて配置させたエジェクターに対して、除染対象場所から離隔されて設置された圧縮空気供給源から圧縮空気を供給することにより、放射性物質をエジェクターの吸入口から吸引する。吸引された放射性物質は、エジェクターの吐出口を通じて、汚染対象場所から離隔されて設置された蓄積手段へ送出されて蓄積される。
【００１５】
エジェクター本体は人が携帯できる程度の重量であることから、法面や山林などの複雑な地形の場所に入り込むことができる。これにより、法面や山林などの屋外の他、合材工場のベルトコンベア下回りなどの清掃や側溝の中（ヘドロの回収）など、除染作業で人力作業を必要とされる場所において、エジェクターの吸引によって、対象物に触れることなく、直接回収することができる。
【００１６】
このため、本発明によれば、重機が入れない場所や法面などでも少数の人員で作業ができ、直接車上などの収集袋に収集物を収納できるとともに、放射性物質に作業員が直接手を触れずに作業が可能となり安全性を確保できる。
【００１７】
具体的には、以下のような効果が得られる。すなわち、コンプレッサー等の圧縮空気供給源から圧縮空気を送ることでエジェクターにより、地面の土や小石、樹木の落ち葉など、固定されていないものを気圧差で吸い込み、同時に送り出して収納袋へ直接収納でき、作業者が収集物に直接手を触れなくても作業が可能となる。
【００１８】
また、機械などが使用できない場所でも作業が可能となるうえ、作業員の労力と人数の省力化を図ることができる。また、圧縮空気供給源や蓄積手段を車両上に積載することにより、作業の進行に併せて小刻みに移動しながらの作業が可能となり、種々の地形や状況に応じた作業を行うことができる。現場の状況に応じて、使用する設備の容量を大きくすることで、作業範囲の拡大が可能となる。さらには、エジェクターにより吸引するという簡単な作業が中心となることから、熟練者を必要とせず、作業員の確保が容易となる。
【００１９】
なお、吸引作業にあたり、対象物を吸い込む作業であるため、先だって対象物をほぐしておくと作業が容易となる。また、吸い口を取り替えることにより、大きさや形状を変えることによって対象物へ順応できる。
【００２０】
また、上記発明において、計測手段によって吸引される放射性物質の放射線量を計測して、圧縮空気供給源から供給される圧縮空気の量を調整するようにした場合には、圧縮空気供給源から離隔してエジェクターが配置されているような状況であっても、除染対象場所における除染作業の進捗に合わせて、吸引力を遠隔的に制御することができる。
【００２１】
さらに、上記発明において、吸入口には受口部を着脱自在に取付けて、除染対象場所における放射性物質の量、重さ又は状態に応じて、受口部を適宜交換するようにしてもよい。
【００２２】
このとき、前記除染対象場所において、前記ブレード部により前記放射性物質をすくうようにして前記開口部から吸引することにより、容易に表層の汚染物質のみ、例えば表土や枯葉などを吸引することができ、作業者の負担を軽減できる。
【図面の簡単な説明】
【００２３】
【図１】本発明の実施形態に係る除染システムの全体構成を示す説明図である。
【図２】実施形態に係る除染システムに用いられるエジェクターを上面から見た全体の断面図である。
【図３】（ａ）は、実施形態に係る除染システムに用いられるエジェクターの吸入口を側面から見た断面図であり、（ｂ）は吸入口の上面図である。
【図４】実施形態に係る蓄積手段を示す斜視図である。
【図５】実施形態に係る除染方法の手順を示すフロー図である。
【発明を実施するための形態】
【００２４】
以下本発明の実施形態を、図を参照して詳細に説明する。図１は、本実施形態に係る除染システム１の全体構成を示す説明図である。図２は、本実施形態に係る除染システムに用いられるエジェクターの説明図であり、図３は、実施形態に係る蓄積手段を示す斜視図である。
【００２５】
（除染システムの構成）
図１に示すように、除染システム１は、作業員２がエジェクター３を用いて、放射性物質で汚染された除染対象場所４を除染するシステムである。除染対象場所４は、ここでは法面や山林を例に説明するが、例えば、合材工場におけるベルトコンベア下回りなど、屋内の清掃や、側溝中のヘドロの回収など狭小な場所など、様々な場所に本発明を適用することができる。
【００２６】
（１）エジェクター３
エジェクター３は、図２に示すように、一端を吸入口３０とし、他端を吐出口３２とする貫通路３３を有する略円筒形状のエジェクター本体３７と、エジェクター本体３７の側部において貫通路３３に連通する少なくとも１つの圧縮空気導入口３４，３４とを備えている。
【００２７】
エジェクター３は、図２に示すように、略円筒形状のエジェクター本体３７の一端を吸入口３０、他端を吐出口３２としており、吸入口３０側の側面部には一対の圧縮空気導入口３４，３４が開口されている。エジェクター本体３７は、吸入口３０側よりエジェクター本体３７内部へ嵌入した内管３７ａを有しており、内管３７ａの先端部が圧縮空気導入口１１が開口された位置よりも吐出口３２側に位置するような長さとしている。
【００２８】
このエジェクター３の圧縮空気導入口３４，３４へ圧縮空気が供給されると、圧縮空気は、図中の矢印で示すように、テーパー３２ａが形成された吐出口３２側へと流下していく際に加速されていき、吐出口３２より勢いよく排出用ホース５２へと送出される。これによって、エジェクター本体３７の吸入口３０側に嵌入した内管３７ａ内部には大きな負圧が生じるため、吸入口３０側にあるものは吸引されて吐出口３２より圧縮空気と共に勢いよく吐出される。なお、本実施例のエジェクター３では圧縮空気導入口３４，３４が一対備わったものを採用しているが、圧縮空気導入口３４，３４は１つだけであっても、或いはそれ以上であっても同様の機能を発揮することができる。
【００２９】
なお、本実施形態では、エジェクター３の貫通路３３を通過する吸引された放射性物質の放射線量を計測する計測手段として線量計３８が設けられており、この線量計３８による計測結果に応じて、コンプレッサー６から供給される圧縮空気の量が調整されるようになっている。
【００３０】
さらに、本実施形態における吸入口３０には受口部３１が着脱自在に取付けられるようになっている。この受口部３１には、吸入口３０に接続されて吐出口３２側の径よりも小径の取付部３１ａと、取付部３１ａの小径よりも拡開された開口部３１ｂと、開口部３１ｂの下側においてに突出されるブレード部３１ｃとが設けられている。そして、放射性物質を吸引する際には、放射性物質の量、重さ又は状態に応じて、受口部３１を適宜交換することによって、取付部３１ａの径及び開口部３１ｂの寸法を変更し、除染対象場所４において、ブレード部３１ｃにより放射性物質をすくうようにして開口部３１ｂから吸引する。
【００３１】
（２）コンプレッサー６
コンプレッサー６は、エアホース６２を介してエジェクター３の圧縮空気導入口３４，３４へ圧縮空気の供給を行う圧縮空気供給源である。ここでは、除染対象場所４から離隔して停車されたトラック６０上に載置され、移動可能に設けられている。エアホース６２は、エジェクター３の圧縮空気導入口３４，３４とコンプレッサー６とを流通可能に接続し、コンプレッサー６から圧縮空気導入口３４，３４へ圧縮空気を供給する圧縮空気供給ホースである。このエアホース６２の途中にはボールバルブ等の開閉弁６２ａを介在させており、エジェクター３への圧縮空気の供給、非供給を制御している。
【００３２】
なお、このコンプレッサー６は、エジェクター３側の線量計３８による計測結果を無線又は有線の通信手段により受信可能となっており、エジェクター３側で吸引された放射性物質の放射線量に応じて供給する圧縮空気の量を調整するようになっている。
【００３３】
（３）収集袋５
収集袋５は、除染対象場所４から離隔して設置され、排出用ホース５２を介してエジェクター３から送出される放射性物質を蓄積するための蓄積手段であり、本実施形態では、除染対象場所４から離隔して停車されたトラック６０上に載置され、移動可能に設けられる。収集袋５は、本実施形態では、図４に示すように、ビニール、ポリエステル等で形成された袋体であり、開口５ａを通じて内部中空と外部とが連通されている。この開口５ａには排出用ホース５２が接続される。排出用ホース５２は、吐出口３２と収集袋５とを流通可能に接続し、圧縮空気の供給によって放射性物質を吸入口３０から吸引し、吸引した放射性物質を、エジェクター３の吐出口３２を通じて収集袋５へ送出して蓄積させるホースである。
【００３４】
（除染方法の手順）
以上の構成を有する除染システムを動作させることによって、本発明の除染方法を実施することができる。図５は、実施形態に係る除染方法の手順を示すフロー図である。
【００３５】
図５に示すように、先ず、エジェクター３の圧縮空気導入口３４，３４とコンプレッサー６とを流通可能に接続するとともに、吐出口３２と収集袋５とを流通可能に接続する。そして、エジェクター３を携帯した作業員２を除染対象場所４に配置し、除染対象場所４に対しエジェクター３の吸入口を臨ませるようにする（Ｓ１０１）。これと併せて、除染対象場所４から離隔してコンプレッサー６を設置するとともに、除染対象場所４から離隔して放射性物質を蓄積するための収集袋５を設置する。
【００３６】
次いで、除染対象場所４に対し、エジェクター３の吸入口３０を臨ませて配置した後、コンプレッサー６を始動させて、コンプレッサー６から圧縮空気導入口３４，３４へ圧縮空気を供給する（Ｓ１０２）。これにより、エジェクター３内に気圧差で吸い込み（Ｓ１０４）、同時に送り出して収集袋５へ送出する（Ｓ１０５）。なお、吸引作業にあたり、この際、対象物を吸い込む作業であるため、先だって対象物をほぐしておくと作業が容易となる。
【００３７】
この放射性物質を吸引する際には、ブレード部３１ｃにより放射性物質をすくうようにして開口部３１ｂから吸引する。このとき、この除染対象場所４における放射性物質の量、重さ又は状態に応じて、図３に示すように、受口部３１の高さｈ、幅ｗ、長さｌや、取付部３１ａの径φの寸法が異なるアタッチメントを、対象物の重量や形状、対象場所の状況に応じて交換することが好ましい。これによって、現場毎にことなる汚染物質の状態に順応できる。
【００３８】
そして、吸入口３０から吸引した放射性物質を、エジェクター３の吐出口３２を通じて収集袋５へ送出して収集袋５に蓄積する（Ｓ１０６）。次いで、その領域の除染が終了した後、作業員、又は必要に応じて車両を移動し（Ｓ１０８）、次の除染対象場所にエジェクター３を臨ませ、全ての領域の除染が完了するまで作業を進める（Ｓ１０７）。
【００３９】
（作用・効果）
以上説明したように、本実施形態によれば、エジェクター本体は人員が携帯できる程度の重量であることから、法面や山林などの屋外の他、合材工場のベルトコンベア下回りの清掃や側溝の中（ヘドロの回収）など、除染作業で人力作業を必要とされる場所でエジェクターの吸引によって対象物に触れることなく、直接回収することができる。
【００４０】
このため、本実施形態によれば、重機が入れない場所でも少数の人員で作業ができ、直接車上などの収集袋に収集物を収納できるとともに、放射性物質に作業員が直接手を触れずに作業が可能となり安全性を確保できる。
【００４１】
詳述すると以下のような効果が得られる。すなわち、コンプレッサー６から圧縮空気を送ることでエジェクター３により、地面の土や小石、樹木の落ち葉など、固定されていないものを気圧差で吸い込み、同時に送り出して収集袋５へ直接収納でき、作業者が収集物に直接手を触れなくても作業が可能となる。
【００４２】
また、機械などが使用できない場所でも作業が可能となるうえ、作業員の労力と人数の省力化を図ることができる。また、コンプレッサー６や収集袋５を車両上に積載することにより、作業の進行に併せて小刻みに移動しながらの作業が可能となり、種々の地形や状況に応じた作業を行うことができる。現場の状況に応じて、使用する設備の容量を大きくすることで、作業範囲の拡大が可能となる。さらには、エジェクターにより吸引するという簡単な作業が中心となることから、熟練者を必要とせず、作業員の確保が容易となる。
【符号の説明】
【００４３】
１…除染システム
２…作業員
３…エジェクター
３…エジェクター
４…除染対象場所
５…収集袋
５ａ…開口
６…コンプレッサー
１１…圧縮空気導入口
３０…吸入口
３１…受口
３１ａ…取付部
３２…吐出口
３２ａ…テーパー
３３…貫通路
３４，３４…圧縮空気導入口
３７…エジェクター本体
３７ａ…内管
５２…排出用ホース
６０…トラック
６２…エアホース
６２ａ…開閉弁
【図１】
2017223577.tif 000003
【図２】
2017223577.tif 000004
【図３】
2017223577.tif 000005
【図４】
2017223577.tif 000006
【図５】
2017223577.tif 000007